(57)【要約】      （修正有）【課題】脚フレームに対する座及び肘掛けの取り付けに関する自由度を有効に向上させた椅子を提供する。【解決手段】椅子１は座６、肘掛け４及び背凭れ５を共通のブラケット７に同時に或いは選択的に取り付けることができるとともに、このブラケット７自体も脚フレーム３から取り外すことができるようになっている。すなわち椅子１はブラケット７が、肘掛け４を取り付け得る肘取付部７２と、脚フレーム３に対し着脱可能に取り付けられるための被取付部７１とを具備する。【選択図】図５
2014018315.tif 000002
【特許請求の範囲】
【請求項１】
複数の脚体間に横架された脚フレームにブラケットを介して少なくとも座を取り付けてなり、肘掛けを任意に取り付け得るようにした椅子であって、
前記ブラケットが、前記肘掛けを取り付け得る肘取付部と、
前記脚フレームに対し着脱可能に取り付けられるための被取付部とを有することを特徴とする椅子。
【請求項２】
前記ブラケットが、前記肘取付部及び前記肘掛けとは干渉せずに背凭れを取り付け得る背取付部を有するものであり、
前記座とは別体に構成された背凭れを前記背取付部に着脱可能に取り付け得る請求項１記載の椅子。
【請求項３】
前記ブラケットが、肘取付部及び前記背取付部を上下方向に重複させて設けたものとしている請求項２記載の椅子。
【請求項４】
前記ブラケットが、周縁部から立ち上がる周壁を有するものであり、この周壁内に前記肘取付部を位置付けるとともに、前記周壁の上端面が前記座の下面に当接している請求項１、２又は３記載の椅子。
【請求項５】
前記被取付部と前記脚フレームとの間に介在させて前記座の高さ位置を変更し得る高さ調整部材を有している請求項１、２、３又は４記載の椅子。
【請求項６】
前記脚フレームが角柱状のものであり、
前記被取付部が前記脚フレームを上下から挟持することにより前記脚フレームに取り付けられる請求項１、２、３、４又は５記載の椅子。
【請求項７】
前記脚フレームの両端に前記脚体に着脱可能に取り付けられる脚体取付部を設けている請求項１、２、３、４、５又は６記載の椅子。
【発明の詳細な説明】
【技術分野】
【０００１】
本発明は、病院や官公庁の待合室や空港のロビーといった公共のスペースにて好適に使用され得る椅子に関するものである。
【背景技術】
【０００２】
従来、病院や官公庁の待合室や空港のロビーといった公共のスペースにて好適に使用され得る椅子が種々提案されている(例えば、特許文献１参照)。これらの椅子は、複数の脚体間に横架された脚フレームにブラケットを介して複数の座を取り付け、座間に肘掛けを取り付けるようにしている。
【０００３】
しかしながら上記特許文献１に記載したような椅子では、座を脚フレームに取り付けるためのブラケットとは別に肘掛けを取り付ける為のブラケットを脚フレームに取り付けなければ肘掛けが取り付けられないものとなっているので、脚フレームに対する座の配置によっては肘掛けが他のブラケットに干渉したり、肘掛け自体の取付スペースが脚フレームに設けられなかったりする等した場合には取り付けられないといった不具合が起こり得る。すなわち上記特許文献１のような椅子は、脚フレームに対して座及び肘掛けを配置する自由度が自ずと制限されたものとなっている。
【先行技術文献】
【特許文献】
【０００４】
【特許文献１】特開２０１１−８３５３５号公報
【発明の概要】
【発明が解決しようとする課題】
【０００５】
本発明は、このような不具合に着目したものであり、脚フレームに対する座及び肘掛けの取り付けに関する自由度を有効に向上させた椅子を提供することを目的としている。
【課題を解決するための手段】
【０００６】
本発明は、このような目的を達成するために、次のような手段を講じたものである。
【０００７】
すなわち本発明に係る椅子は、複数の脚体間に横架された脚フレームにブラケットを介して少なくとも座を取り付けてなり、肘掛けを任意に取り付け得るようにした椅子であって前記ブラケットが、前記肘掛けを取り付け得る肘取付部と、前記脚フレームに対し着脱可能に取り付けられるための被取付部とを有することを特徴とする。
【０００８】
このようなものであれば、肘掛けを座を支持するためのブラケットに取り付けることができるので、肘掛けを取り付ける際にブラケット自体が干渉してしまう不具合も、肘掛けを取り付けるための脚フレームのスペースを確保しなければならないという不具合も回避することができる。すなわち本発明によれば、脚フレームに対して座及び肘掛けを配置する自由度を有効に向上せしめた椅子を提供することができる。
【０００９】
また、脚フレームに対する椅子の構成の自由度をより向上させるためには、前記ブラケットを、前記肘取付部及び前記肘掛けとは干渉せずに背凭れを取り付け得る背取付部を有するものとし、前記座とは別体に構成された背凭れを前記背取付部に着脱可能に取り付け得るようにすることが望ましい。これにより、椅子を配置する空間に設定される所望のレイアウトに応じて背凭れの有無をも選択できることができる。換言すれば、空間のレイアウトに係る自由度がより向上するものとなる。
【００１０】
ブラケットをコンパクトに構成するためには、ブラケットを、肘取付部及び前記背取付部を上下方向に重複させて設けたものとすることが望ましい。
【００１１】
ブラケットをさらにコンパクトなものとして脚フレームに対するブラケットの配置に係る自由度をより向上させるためには、このブラケットを、周縁部から立ち上がる周壁を有するものとし、この周壁内に前記肘取付部を位置付けるとともに、前記周壁の上端面が前記座の下面に当接させるようにすることが望ましい。
【００１２】
そして、前記被取付部と前記脚フレームとの間に介在させて前記座の高さ位置を変更し得る高さ調整部材を有するものとすれば、椅子を配置する空間の目的に応じた座の高さ位置を実現することができる。
【００１３】
前記ブラケットを脚フレームに対し確実に取り付けるための一つの態様として、前記脚フレームを角柱状のものとし、前記被取付部が前記脚フレームを上下から挟持することにより前記脚フレームに取り付けるようにする態様を挙げることができる。
【００１４】
また、脚フレームの確実な支持とブラケットの取付位置に関する自由度を両立させるためには、前記脚フレームを、当該脚フレームの両端に前記脚体に着脱可能に取り付けられる脚体取付部を設けた態様とすることが好ましい。
【発明の効果】
【００１５】
本発明によれば、脚フレームに対して座及び肘掛けを配置する自由度を有効に向上せしめた椅子を提供することができる。
【図面の簡単な説明】
【００１６】
【図１】本発明の一実施形態に係る正面図。
【図２】同平面図。
【図３】同右側面図。
【図４】同斜視図。
【図５】同実施形態の要部を示す分解斜視図。
【図６】同実施形態に係る脚体を示す説明図。
【図７】同ブラケットを示す説明図。
【図８】同実施形態に係る要部を拡大して示す分解斜視図。
【図９】同実施形態の変形例に係る説明図。
【発明を実施するための形態】
【００１７】
以下、本発明の一実施の形態について図面を参照して説明する。
【００１８】
本実施形態に係る椅子１は、一般にロビーチェアと称されるタイプのものである。この椅子１は、例えば病院や官公庁の待合室や空港のロビーといった公共のスペースにて好適に使用される。
【００１９】
この椅子１は、図１乃至図８に示すように、対をなす脚体２間に横架された単一の脚フレーム３に計４つの座６、４つの肘掛け４及び３つの背凭れ５を、それぞれ同一形状をなす８つのブラケット７を介してそれぞれ取り付けたものである。
【００２０】
この椅子１は図１乃至図４に示した態様の他、例えば背凭れ５や肘掛け４を適宜取り外したり、図示左側に取付けたサークル座６Ａを右側にも取付けたりするなど、種々の態様へと変更することができるものである。
【００２１】
この椅子１は、図５乃至図８に示すように、座６、肘掛け４及び背凭れ５を共通のブラケット７に同時に或いは選択的に取り付けることができるとともに、このブラケット７自体も脚フレーム３から取り外すことができるようになっている。すなわち本実施形態に係る椅子１はブラケット７が、前記肘掛け４を取り付け得る肘取付部７２と、前記脚フレーム３に対し着脱可能に取り付けられるための被取付部７１とを具備するものである。
【００２２】
以下、椅子１の各部の構成について説明する。
【００２３】
脚体２は、図１乃至図６に示すように、床面に設置させるパネル要素２１と、パネル要素２１の前後方向中央且つ上端付近において表面を凹ませ雌ねじ孔２４を設けたフレーム取付部２２とを有している。本実施形態では図１乃至５において当該パネル要素２１を有した脚体２の他、図６に示すように、Ｖ字脚要素２３及び前記フレーム取付部２２を有した概略逆Ｖ字形状をなすＶ字形脚２Ａに代えることも可能である。勿論本実施形態は、これらパネルタイプの脚体２やＶ字形脚２Ａのみならず、既存の種々の形状を適用することができる。
【００２４】
脚フレーム３は、図１乃至図６に示すように、スチール製の四角柱状をなすフレーム本体３１と、このフレーム本体３１の両端に例えば溶接により取付けられた概略矩形板状をなす脚体取付部たる取付板３２と、この取付板３２の四隅に形成されたボルト挿通孔を挿通してフレーム取付部２２と取付板３２を取り付けるための脚取付ボルト３３とを有している。
【００２５】
肘掛け４は、座面よりも上側に位置付けられる肘本体４１と、この肘本体４１を下方から支持するとともに肘本体４１を例えばねじ止めにより取り付けている肘アーム４２とを有している。肘アーム４２は前後対称形状をなす金属板からなるものである。そしてこの肘掛け４は肘アーム４２に対する肘本体４１の取り付け方向を適宜変更することにより、座６の左右どちらでも肘掛け４を取り付け得るようになっている。肘アーム４２は、ブラケット７に取り付けられるアーム基板４３と、このアーム基板４３から水平方向に延出する水平延出板４４と、この水平延出板４４から上方へ起立する起立板４５とを有している。またこの起立板４５の上端側では金属素材が水平に曲げられた上面板が形成され、この上面板に肘本体４１が例えば４箇所で下方からねじ止めされるものとなっているが、肘アーム４２における肘本体４１の取付構造は既存のものであるため詳細な説明を省略する。アーム基板４３はブラケット７の前後方向中央部分において後述する周壁７ｄの内側に収容されるように取り付けられるもので、ブラケット７に固定されるためのボルト挿通孔４７を有している。
【００２６】
背凭れ５は、図１乃至図５に示すように、背板５１と、背板５１の主に前面側に取り付けられた背クッション５２と、これら背板５１及び背クッション５２を覆う張り地５３と、基端が背板５１の下端近傍に固着されて先端側においてブラケット７に取り付けられ得る背アーム５４とを有している。本実施形態では張り地５３は背アーム５４を除く背凭れ５の略全部を覆うように取り付けられているが図５に想像線で概略的に示す様に、張り地５３には図示しないファスナが設けられており、当該ファスナを開ければ張り地５３は背板５１、背クッション５２及び背アーム５４から取り外すことができる。つまり背凭れ５が汚れたり傷ついたりした場合には適宜洗濯をしたり修繕、交換をしたりできるようになっている。背アーム５４は、例えば金属板を適宜溶接することにより側面視概略Ｔ字状に形成されたもので、後方すなわち基端側で背板５１に取り付けられる起立板５５と、この起立板５５の上下方向中間部分から前方に延出する背基板５６とを有している。この背基板５６には前後方向略中間部分及び先端部分にそれぞれ径が異なる孔が１つずつ計４つ穿たれており、前後両端において比較的径が小さい二つの孔は、後述する共締めボルト７３ｆを挿通させて座６とともに共締めされるボルト挿通孔５７である。中間部分に位置する比較的径が大きい孔は、ブラケット７の突出した部分を通過させるための通過孔５８である。
【００２７】
また以上に説明した構成をなす背凭れ５の他、本実施形態では図９に示すような背凭れ５Ａを適用しても良い。本実施形態の変形例として示される背凭れ５Ａは、木製の背板５１が外方に露出する態様をなすものである。その構成は上記の背凭れ５と略同じであるが、背クッション５２が張り地５３に覆われた状態で、背板５１に設けられたフック５１ａ及びビス孔５１ｂを用いて取り付けられる。具体的に説明すると、背クッション５２はウレタン等からなる想像線で示されるクッション本体５２ａと、このクッション本体５２ａを支持するクッション支持板５２ｂとを有する。このクッション支持板５２ｂが前記フック５１ａに掛け止められるフック孔５２ｃと、下方にてビス５２ｅを挿通させるビス挿通孔５２ｄとを有している。この背クッション５２は、背板５１側のフック５１ａにフック孔５２ｃを掛けると自ずとビス孔５１ｂとビス挿通孔５２ｄとが連通するようになっている。つまりフック孔５２ｃをフック５１ａに掛け止めした後、速やかにビス止めを行うことができる。なお当該ビス５２ｅは椅子１を組み立てた状態では座６の後方に位置付けられる為外方には露出しない。
【００２８】
座６は、図１乃至図５及び図８に示すように、平面視概略矩形状をなす通常の座６の他、上記の通り周縁の一部が円形状をなすサークル座６Ａなど、種々の形状のものが適用され得るが、座６もサークル座６Ａもその構成は何れも略同じであるため、ここでは平面視矩形状をなす通常の座６について説明する。この座６は、概略矩形状をなす座板６１と、この座板６１上に位置付けられる座クッション６２と、これら座板６１及び座クッション６２の略全てを覆う張り地６３とを有している。この張り地６３は背凭れ５のそれと同様に、図示しないファスナを開けることにより座板６１、座クッション６２から取り外すことができ、洗濯、修繕や交換が適宜行えるようになっている。座板６１は、例えば木製の板材からなる座板本体６４と、この座板本体６４において左右に４つずつ計８つ取り付けられたインサートナット６５とを有している。このインサートナット６５を設けた位置でブラケット７に対し固定され得るようになっている。
【００２９】
しかして本実施形態では、以上のようにしてなる肘掛け４、背凭れ５及び座６が、同一のブラケット７によりそれぞれ同時に取り付けられ得るものとなっている。
【００３０】
ブラケット７は、図５、図７及び図８に示すように、脚フレーム３の上下から外嵌する上ブラケット７ａ及び下ブラケット７ｂを長尺ねじ７ｃを用いて強固に取り付けてなるものである。これら上ブラケット７ａ及び下ブラケット７ｂは例えばアルミダイキャスト製のものであり、主に上ブラケット７ａにおける周縁部に周壁７ｄを起立させ、この周壁７ｄ内部に適宜リブ７ｅや段差、開口を設けることにより、上述した肘掛け４、背凭れ５及び座６のそれぞれを着脱可能に取り付け得るものである。またこのブラケット７は図７に示すように上ブラケット７ａと脚フレーム３との間に高さ調整部材７０を介在させた状態で取り付けることも可能である。この場合、当該高さ調整部材７０の厚み寸法だけ肘掛け４、背凭れ５及び座６の高さを嵩上げすることができる。このブラケットは左右対称形状をなしており、一の座６の両側に取り付ける際には同じ形状をなすブラケット７を取り付けることにより、椅子１を構成する部品種類数の削減にも資するものである。そしてこのブラケット７は、脚フレーム３に着脱可能に取り付けるための被取付部７１と、前記肘掛け４を取り付け得る肘取付部７２と、前記肘取付部７２及び前記肘掛け４とは干渉せずに背凭れ５を着脱可能に取り付け得る背取付部７３と、前記肘取付部７２、肘掛け４、背取付部７３及び背凭れ５とは干渉せずに座６を着脱可能に取り付け得る座取付部７４とを有している。被取付部７１は、上ブラケット７ａ及び下ブラケット７ｂに亘って設けられた長尺ねじ挿通孔７１ａと、上ブラケット７ａ上面における中央近傍においてリブ７ｅを六角環状に起立させて設けた対をなすナット受け７１ｂと、このナット受け７１ｂ内に収容される取付ナット７１ｃとを有している。肘取付部７２は、前記ナット受け７１ｂを形成したリブ７ｅの上縁により形成される肘取付面７２ａと、前記ナット受け７１ｂよりも若干前後よりに設けられた開口である肘止め用孔７２ｂと、周壁７ｄの前後方向中央両側を肘取付面７２ａと面一となる位置まで切り欠いて設けた側方切欠７２ｃと、この肘取付面７２ａ上に肘アーム４２のアーム基板４３を載せた状態でブラケット７に緊締するための肘止めナット７２ｄ及び肘止めボルト７２ｅとを有している。背取付部７３は、上ブラケット７ａ前後端において周壁７ｄに囲まれたリブ７ｅの上面である背取付面７３ａと、周壁７ｄより内側に於いて前後一箇所ずつアルミ素材を突出させた位置の中段に設けた背取付段部７３ｂと、前記背基板５６に設けた通過孔５８に嵌ることで背基板５６を位置決めし得る、前記突出位置の周面である位置決め面７３ｃと、上ブラケット７ａの前後端近傍に設けた背基板５６のボルト挿通孔５７に連通し得る共締め孔７３ｄと、背基板５６をブラケット７より後方に延出させるために後端側の周壁７ｄを切り欠いた後方切欠７３ｅと、前記共締め孔７３ｄを挿通し、先端側で座板６１の前記インサートナット６５に締結することで座６と共に背基板５６を共締めするための共締めボルト７３ｆとを有している。座取付部７４は、前記突出位置の頂面で直接座板６１に接し得る座板受け面７４ａと、上ブラケット７ａの前後端における周壁７ｄであり前記突出位置と同じ位置まで起立した周壁７ｄの端面である上端面７４ｂと、座板受け面７４ａの中央に穿たれた座取付用孔７４ｃと、この座取付用孔７４ｃを挿通し前記座板６１のインサートナット６５直接螺合するための座取付用ボルト７４ｅとを有している。
【００３１】
以上のようにしてなるブラケット７に肘掛け４、背凭れ５及び座６を支持させる際には、図８に示すように、肘掛け４のアーム基板４３、背基板５６及び座板６１をブラケット７上で重層させるようにして取り付ける。具体的には、これら肘掛け４、背凭れ５及び座６をブラケット７に取り付けて椅子１を組み立てる際には、肘掛け４、背凭れ５、そして座６の順でブラケット７にそれぞれボルト止めを行う。勿論当該作業はブラケット７が脚フレーム３に取り付けられているかに拘わらず、行うことができる。
【００３２】
まずは肘取付部７２の肘取付面７２ａ上に肘掛け４のアーム基板４３を載置し、アーム基板４３のボルト挿通孔４７と肘止め用孔７２ｂとが連通した状態となる。この状態でボルト挿通孔４７上に肘止めナット７２ｄを載置し、下方から肘止めボルト７２ｅを挿通させ、緊締する。この状態で緊締した肘止めボルト７２ｅの上端は背取付面７３ａよりも僅かに下側に位置するようなる。このとき、何れか一方の側方切欠７２ｃから肘アーム４２の水平延出板４４が延出する。
【００３３】
続いて背凭れ５の背基板５６を背取付面７３ａ上に載置すると、背基板５６は前方及び側方において周壁７ｄに囲まれるとともに後方切欠７３ｅから基端側が延出し、ブラケット７は通過孔５８から円形状の座板受け面７４ａ及び座取付用孔７４ｃのみが周壁７ｄ内で露出した状態となる。この状態で上方から座板６１を載置し、それぞれのインサートナット６５を共締め孔７３ｄ、座取付用孔７４ｃに連通させるよう位置決めした上で、下方からブラケット７一つ当たり四本のボルト、すなわち共締め用ボルト７３ｆの締結により背凭れ５及び座板６１を固定し、座固定用ボルト７４ｅによってさらに座５を固定する。このようにして、単一のブラケット７に対し、肘掛け４、背凭れ５及び座６が何ら干渉せずに強固にブラケット７に固定される。
【００３４】
以上のような構成とすることにより、本実施形態に係る椅子１は、肘掛け４を座６を支持するためのブラケット７に取り付けることができるので、肘掛け４を取り付ける際にブラケット７自体が干渉してしまう不具合も、肘掛け４を取り付けるための脚フレーム３のスペースを確保しなければならないという不具合も有効に回避している。すなわち当該椅子１によれば、脚フレーム３に対して座６及び肘掛け４を配置する自由度を有効に向上せしめた椅子１を実現している。
【００３５】
また、脚フレーム３に対する椅子１の構成の自由度をより向上させるために本実施形態では、座６とは別体に構成された背凭れ５も同じブラケット７に対し、座にも肘掛け４にも何ら干渉せずに取り付けている。換言すれば本実施形態に係る椅子１は背凭れ５の有無をも自由に選択できるので、図１乃至図４に示した構成に限られない自由な態様として椅子１を利用することができる。
【００３６】
そして本実施形態ではブラケット７をコンパクトに構成するために、肘取付部７２及び前記背取付部７３を上下方向に重複させて設けたものとして、脚フレーム３への取付の際にも嵩張らず、より自由なブラケット７の配置を実現できる。特に本実施形態では、肘取付部７２及び背取付部７３並びに座取付部７４における緊締位置を前後方向に異ならせてブラケット７の幅方向に関するコンパクト化と、ブラケット７への荷重を分散させることによる強度の担保とを両立させている。
【００３７】
ブラケット７をさらにコンパクトなものとして脚フレーム３に対するブラケット７の配置に係る自由度をより向上させるため、このブラケット７を、周縁部から立ち上がる周壁７ｄを有するものとし、この周壁７ｄ内に前記肘取付部７２を位置付けるとともに、前記周壁７ｄの上端面７４ｂが前記座６の下面に当接させるようにして、肘取付部７２及び座取付部７４との干渉を有効に回避している。
【００３８】
そして、斯かる椅子１を配置する空間によっては座６の高さ位置を変更する必要に迫られる可能性があるが、本実施形態ではブラケット７と脚フレーム３との間に介在させて前記座取付部７４の高さ位置を変更する高さ調整部材７０を用いることで、座６の、詳細には肘掛け４、背凭れ５及び座６の高さ位置を高さ調整部材７０の厚み寸法だけ嵩上げすることで、椅子１への座り動作や立ち上がり動作をより行い易くすることができる。これにより、上記の動作をより容易に行い易くすることが要求されるような公共のスペースへも好適に適用し得る。
【００３９】
前記ブラケット７を脚フレーム３に対し確実に取り付けるために本実施形態では前記脚フレーム３を角柱状のものとし、前記被取付部７１を前記脚フレーム３が上下から挟持することにより前記脚フレーム３に取り付けるようにして、単純な構成ながら脚フレーム３に対するブラケット７の強固な取り付けを実現している。
【００４０】
加えて脚フレーム３の確実な支持とブラケット７の取付位置に関する自由度を両立させるために本実施形態では、この脚フレーム３を、当該脚フレーム３の両端に前記脚体２に着脱可能に取り付けられる脚体取付部たる取付板３２を設けた態様としている。
【００４１】
以上、本発明の実施形態について説明したが、各部の具体的な構成は、上述した実施形態のみに限定されるものではなく、本発明の趣旨を逸脱しない範囲で種々変形が可能である。
【００４２】
例えば、上記実施形態では背凭れが座に対して別体であり独立してブラケットに取り付けられる態様を開示したが、勿論、背凭れは座に対して着脱可能に構成したものであっても、座に一体的に設けられたものでもよい。また座の平面視形状や肘本体の具体的態様、さらには背凭れの高さといった具体的な態様は上記実施形態のものに限定されることはなく、既存のものを含め、種々の態様のものを適用することができる。
【００４３】
その他、各部の具体的構成についても上記実施形態に限られるものではなく、本発明の趣旨を逸脱しない範囲で種々変形が可能である。
【産業上の利用可能性】
【００４４】
本発明は、病院や官公庁の待合室や空港のロビーといった公共のスペースにて好適に使用され得る椅子として利用することができる。
【符号の説明】
【００４５】
１…椅子
２…脚体
３…脚フレーム
３２…脚体取付部（取付板）
４…肘掛け
５…背凭れ
６…座
７…ブラケット
７０…高さ調整部材
７ｄ…周壁
７２…肘取付部
７１…被取付部
７３…背取付部
７４ｂ…上端面
【図１】
2014018315.tif 000003
【図２】
2014018315.tif 000004
【図３】
2014018315.tif 000005
【図４】
2014018315.tif 000006
【図５】
2014018315.tif 000007
【図６】
2014018315.tif 000008
【図７】
2014018315.tif 000009
【図８】
2014018315.tif 000010
【図９】
2014018315.tif 000011